(57)【要約】      （修正有）【課題】グリル本体に修正、損傷その他の変更を加えることを必要とすることなく、グリルその他の品物にサイドテーブルその他の付属品を容易にそして着脱可能に取り付けるためのクランプを提供する。【解決手段】ベース部材２１の上方に突き出たフランジ２６の上端部は、上部リム１２の縁曲げ部１４により形成された外側凹部に挿入されている。ハンガー部材のフック部３２は縁曲げ部１４上に置かれる。次いで、ハンガー部材は、ベース部材２１の接続穴とハンガー部材の穴を貫通させる組み立てボルト３４及びウイングナット３５を使って、ベース部材２１に固定され、クランプ２０は、グリルに穴開けその他の改造を行うことを必要とせずに、付属品１８をグリル１１に固定する。【選択図】図１
2018108361.tif 000002
【特許請求の範囲】
【請求項１】
グリルの外側に付属品を固定するためのクランプであって、
グリル本体、上部リム、及び、下向きの外側凹部を形成する縁曲げ部を有するグリルと、
ベース部材であって、前記ベース部材はグリル取り付け端及び付属品保持端を含む側部を有し、前記グリル取り付け端は上端部まで上方に突き出たフランジを有することを特徴とするベース部材と、
前記ベース部材に固定可能なハンガー部材であって、前記ハンガー部材はベース部及び垂直部を有し、前記垂直部にはフック部が含まれることを特徴とする、ハンガー部材と、
を具備し、
前記ベース部材の上端部は、前記グリルのリムの外側凹部内に収まり、前記ハンガー部材のフック部は、前記グリルのリムの縁曲げ部とかみ合うことを特徴とする、
グリルの外側に付属品を固定するためのクランプ。
【請求項２】
ボルト及びウイングナットが前記ハンガー部材を前記ベース部材に固定することを特徴とする請求項１に記載のクランプ。
【請求項３】
前記付属品はサイドテーブルであることを特徴とする請求項１に記載のクランプ。
【請求項４】
前記サイドテーブルは、前記ベース部材の付属品保持端に固定されることを特徴とする請求項３に記載のクランプ。
【請求項５】
品物に付属品を固定するためのクランプであって、前記品物は、上部リム、及び、外側凹部を形成する縁曲げ部を有し、前記クランプは、
側部を有するベース部材であって、前記側部の一方の端は付属品保持端であり他方の端は品物取り付け端であり、前記品物取り付け端には、上方に突き出たフランジ及び上端部が含まれ、前記上端部は前記品物の縁曲げ部の外側凹部とかみ合うことを特徴とするベース部材と、
ハンガー部材であって、前記ハンガー部材は、前記ベース部材の側部に平行なベース部と、上部フック部を有する垂直部とを有し、前記フック部は、前記品物の前記リムの縁曲げ部とかみ合うことができることを特徴とするハンガー部材と、
前記ハンガー部を前記ベース部に固定するためのボルト及びナットであって、それにより前記クランプを前記品物の外側に固定することを特徴とするボルト及びナットと、
を具備することを特徴とする、
品物に付属品を固定するためのクランプ。
【請求項６】
前記品物は、グリルであることを特徴とする請求項５に記載のクランプ。
【請求項７】
前記付属品は、サイドテーブルであることを特徴とする請求項６に記載のクランプ。
【発明の詳細な説明】
【技術分野】
【０００１】
本発明は、グリルのような品物に用いるクランプに関する。さらに詳細には、本発明は、グリル本体に修正、損傷その他の変更を加えることを必要とすることなく、グリルその他の品物にサイドテーブルその他の付属品を容易にそして着脱可能に取り付けるためのクランプに関する。
【背景技術】
【０００２】
ガスグリル及び木炭グリルの使用は非常に一般的である。多くのユーザーは、サイドテーブルその他に、食品、皿、調理具、その他を保持することができる利便性を求めている。多くのグリルはそのような目的を満たすために、購入したグリルの部品として又は購入後の付属品として、スタンド又はカートを取り付けることが可能である。しかしながら、ユーザーによっては、市場にある一般的なカート及び／又はスタンドのためのスペースがない場合がある。他のユーザーは、カート及び／又はスタンドは自分たちの予算に対して高すぎると思う場合がある。従って、サイドテーブルその他の付属品をグリルと連結するための低コストで効果的な方法のニーズがある。
【０００３】
グリルの完成度を損なわないことも重要である。例えば、多くのユーザーは、安全性、寿命、及び美観からの理由により、自分たちのグリルに穴をあけることを望まない。同様に、多くのユーザーは、自分たちのグリルの外装部に引っかき傷その他による損傷を加えることを望まない。加えて、多くのユーザーは、グリルに取り付けた棚その他の付属品を使わなくなった場合又はユーザーがグリルを他の場所に移動させたい場合、棚その他の付属品が取り外し可能であることを求める。従って、グリルそのものを損傷したり改造したりすることなく、サイドテーブルその他の付属品をグリルに着脱可能に固定することのニーズもある。
【発明の概要】
【０００４】
本発明は、既知のクランプの利点を保持しつつ、新たな特徴と利点も提供する。
【０００５】
従って、サイドテーブルその他の付属品をグリルその他の品物に固定するクランプを提供することが本発明の目的である。
【０００６】
本発明のさらなる目的は、グリルを改造することを必要としないクランプを提供することである。
【０００７】
本発明のもう１つの目的は、グリルの外装部に引っかき傷その他の損傷を与えないクランプを提供することである。
【０００８】
本発明のさらなる目的は、グリルに取り付け取り外すことが簡単なクランプを提供することである。
【０００９】
本発明のさらにもう１つの目的は、様々なタイプの品物又はグリルに用いることができ、様々な付属品を保持することができる安価なクランプを提供することである。
【００１０】
本発明の好ましい実施の形態によれば、付属品をグリルの外部に固定するクランプが提供される。グリルには一般に、グリル本体、上部リム、及び、下向きの外側凹部を形成する縁曲げ部が含まれる。好ましいクランプには、ベース部材が含まれ、ベース部材は、グリル取り付け端及び付属品保持端を含む側部を有し、前記グリル取り付け端は上端部まで上方に突き出たフランジを有する。前記ベース部材に固定可能なハンガー部材もまた取り付けられている。前記ハンガー部材には、ベース部及び垂直部が含まれ、前記垂直部にはフック部が含まれ、前記ベース部材の上端部はグリルのリムの外側凹部内に収まり、前記ハンガー部材のフック部は、前記グリルのリムの縁曲げ部とかみ合う。ボルト及びウイングナットが前記ハンガー部材を前記ベース部材、従って前記グリルに固定するために使うことができる。前記クランプにより固定される付属品は、前記ベース部材の付属品保持端に固定することができる、サイドテーブルその他の付属品とすることができる。
【００１１】
本発明はまた、付属品を品物に固定するために用いられるクランプを提供することができ、前記品物は、上部リム及び外側凹部を形成する縁曲げ部を有する。前記クランプには、側部を有するベース部材が含まれ、前記側部の一方の端は付属品保持端であり他方の端は品物取り付け端であり、前記品物取り付け端には、上方に突き出たフランジ及び上端部が含まれ、前記上端部は前記品物の縁曲げ部の外側凹部とかみ合う。さらに、ハンガー部材も含まれ、前記ハンガー部材は、前記ベース部材の側部に平行なベース部と、上部フック部を有する垂直部とを有し、前記フック部は、品物のリムの縁曲げ部とかみ合うことができる。ボルト及びナットは、前記ハンガー部を前記ベース部に固定するために用いることができ、それによりクランプを前記品物の外側に固定する。好ましい実施の形態に置いて、前記品物はグリルであり、前記付属品はサイドテーブルである。
（用語の定義）
本特許出願の請求項に用いられる用語は、法上許される範囲で最も広い意味を持つものと解釈される。他の解釈が可能である場合、最も広い意味を持つものとする。請求項に用いられるすべての語は、一般に慣習的な文法及び英語に用いられるものとする。
【図面の簡単な説明】
【００１２】
本発明の記載した又は未記載の（しばしば単数形を用いるが、複数であることを排除しない）目的、特徴、及び利点は、以下の説明及び図面により明確にする。種々の図において類似する参照番号は、類似する構成要素を示す。
【図１】代表的なグリルに取り付けられサイドテーブルのような代表的な付属品を保持するよう描かれた本発明のクランプの好ましい実施の形態の透視図である。
【図２】本発明のクランプの好ましい実施の形態の部品を示す分解透視図である。
【図３】組み立てた状態を示す図２のクランプの透視図である。
【図４】図１の直線４−４に沿って切り取った、代表的なグリルに取り付けられ付属品として取り付けられたサイドテーブルを伴う本発明の好ましいクランプの側面図である。
【図５】代表的なグリルに置かれ代表的なサイドテーブルを支える本発明の好ましいクランプの取り付け状態を示す上面透視図である。
【発明を実施するための形態】
【００１３】
特許を請求する発明について現時点で最も好ましい実施の形態又は最適な代表例について以下に述べる。実施の形態及び好ましい実施の形態の将来の及び現時点の修正及び改良は、考慮されている。機能、目的、構成、及び効果において実質的な変更のないあらゆる修正及び改良は、本発明の請求項の技術的範囲に含まれるものとする。
【００１４】
代表的なグリル１０に取り付けられた本発明の好ましいクランプ２０が図１に示されている。グリル１０には、上部リム１２で終わる一般的なボウル型のグリル本体１１が含まれる。グリル本体の内側で調理火格子１３を支えている。上部リム１２には、下方向に面する外側凹部１５を形成する外側に面する縁曲げ部１４が含まれる（図４参照）。クランプ２０は、代表的な付属品１８、ここではサイドテーブルを支えるよう示されている。
【００１５】
クランプ２０は、Ｗｅｂｅｒ−Ｓｔｅｐｈｅｎ  Ｐｒｏｄｕｃｔｓ  ＬＬＣにより製造販売されている代表的なＷｅｂｅｒ  ｋｅｔｔｌｅ（商標）グリルに取り付けられているのが示されている。本発明のクランプ２０は、様々な、木炭グリル、ガスグリル、電気グリル、又は他の用途の物品にも用いられることを、当業者なら理解するであろう。加えて、クランプ２０は、付属品１８としてサイドテーブルを支えているのが示されている。棚、フックその他のような様々な付属品がクランプ２０によりグリル１０に取り付けることができることを、当業者なら理解するであろう。
【００１６】
クランプ２０の好ましい実施の形態は、図２、３、及び４を参照して示される。クランプ２０には、ベース部材２１及びハンガー部材２２が含まれる。ベース部材２１には側部２３が含まれる。側部２３はさらにグリル取り付け端２４及び付属品保持端２５が含まれる。グリル取り付け端２４はグリル本体１１に近接し、付属品保持端２５はグリル本体１１から遠くへ延びる。好ましい実施の形態において、側部２３は、地面又はグリル１０を支える他の面に概ね平行になるようグリル本体１１から外側に伸びる。グリル１０に取り付ける付属品１８の好ましい方向に応じて、別の方向又は角度のベース部材２１を用いることができることを、当業者なら理解するであろう。
【００１７】
ベース部材２１の側部２３のグリル取り付け端２４には、上端部２７で終わる上方に突き出たフランジ２６が含まれる。好ましい実施の形態において、上方に突き出たフランジ２６は、側部２３に対して概ね直角になっている。上方に突き出たフランジ２６は上端部２７で終わっている。ベース部材２１の側部２３には、以下に説明するようにハンガー部材２２を固定することができるよう、近端に取り付け穴２８及び遠端に１以上の穴２９がある。
【００１８】
好ましいハンガー部材２２には、ベース部３０、ほぼ垂直な垂直部３１、及びフック部３２が含まれる。ベース部３０には、ベース部材２１の側部２３の取り付け穴２８と揃えた取り付け穴３３を含めることができる。組み立てボルト３４及びウイングナット３５も好ましい実施の形態において取り付けられる。
【００１９】
付属品１８を支えるためにクランプ２０を取り付けることで、図４に示すように付属品すなわちテーブル１８は、ベース部材２１の付属品保持端２５に取り付けられる。ねじすなわちボルト１９は、付属品取り付け端２５の穴２９を貫通してベース部材２１に付属品１８をねじ止めする。付属品１８をベース部材２１に取り付けるために、接着剤、釘、その他の取り付け形式を含む他の方法を用いることができることを、当業者なら理解するであろう。
【００２０】
クランプ２０のグリル本体１１への取り付けは、図１、４、及び５に示されている。具体的には、ベース部材２１の上方に突き出たフランジ２６の上端部２７は、上部リム１２の縁曲げ部１４により形成された外側凹部１５に挿入されている。これにより、ベース部材２１が下向きに回転するのを防止する。ハンガー部材２２のフック部３２は縁曲げ部１４上に置かれる。次いで、ハンガー部材２２は、ベース部材２１の接続穴２８とハンガー部材２２の穴３３を貫通させる組み立てボルト３４及びウイングナット３５を使って、ベース部材２１に固定される。このようにして、クランプ２０は、グリルに穴開けその他の改造を行うことを必要とせずに、付属品１８をグリル１１に固定する。
【００２１】
実際には、クランプ２０のグリル１１の好ましい取り付けは図５に示されている。ハンガー部材２２は、ボルト３４及びウイングナット３５でベース部材２１にゆるく取り付けられている。上方に突き出たフランジ２６の上端部２７は、縁曲げ部１４の外側凹部１５に挿入されている。次いで、ハンガー部材２２は、フック部３２が縁曲げ部１４にかみ合うまで縁曲げ部１４上で回転する。ベース部材２１及びハンガー部材２２は次にボルト３４及びウイングナット３５を用いてしっかりと固定される。このようにして、付属品１８は、グリル本体を改造することなくクランプ２０を介してしっかりとではあるが取り外し可能にグリル１０に固定される。
【００２２】
クランプ２０及びその部品は、素材がグリルから生じる熱に耐えることができる限りにおいて、鋼鉄、ステンレス鋼、プラスチックのような、様々な素材で作ることができることを、当業者なら理解するであろう。加えて、クランプ２０のグリルと接触するような部分は、グリルの外装部に引っかき傷その他の損傷を与えないように、ケイ素樹脂その他の耐熱素材でカバーすることができる。
【００２３】
上記説明は、発明を定義する次の請求項に使う用語又は技術的範囲を限定するものではない。むしろ、構成、機能、又は効果における将来の変更は、本質的な変更ではなく、特許請求の範囲内のこのような非本質的な変更は請求項により保護されるようなものである。従って、本発明の好ましい実施の形態が示され説明される一方、特許請求の範囲から逸脱することなく変更または改造を行うことが可能であることは理解されよう。加えて、「特許請求の範囲に記載された発明」すなわち「本発明」は、ここでしばしば単数として使われているが、開示され特許請求される複数の発明があることが理解されよう。
【００２４】
本発明の種々の特徴を次の請求項に示す。
【図１】
2018108361.tif 000003
【図２】
2018108361.tif 000004
【図３】
2018108361.tif 000005
【図４】
2018108361.tif 000006
【図５】
2018108361.tif 000007
【外国語明細書】
2018108361000001.pdf